(57)【要約】【課題】撮影時の臨場感を感じさせるように、複数の画像をスライド表示する。【解決手段】デジタルカメラ１０はＣＰＵ１５、モニタ１７、および画像メモリ１８を有する。スライドショー機能を実行するときに、ＣＰＵ１５は画像メモリ１８に格納された画像データを撮影時刻の順番に読出す。ＣＰＵ１５は読出した画像データに付加された時刻情報に基づいて、撮影間隔を算出する。ＣＰＵ１５は算出した撮影時間間隔に応じて画像データに対応する画像の表示時間を決定する。ＣＰＵ１５は決定した表示時間の間モニタ１７に画像データに対応する画像を表示させる。【選択図】図１
2010148049.tif 000002
【特許請求の範囲】
【請求項１】
静止画に相当する第１〜第ｎの画像データを、前記第１〜第ｎの画像データの生成時間に相当する時間情報とともに受信する受信部と、
最後に生成された画像データを除く前記第１〜第ｎの画像データそれぞれの生成時間から次に生成された画像データの生成時間までの時間間隔を前記時間情報に基づいて算出し、算出された前記時間間隔に応じてそれぞれの画像データの再生時間を決定する決定部と、
前記第１〜第ｎの画像データに相当する前記静止画を、前記決定部により決定された再生時間で、前記第１〜第ｎの画像データの生成時間の順番に表示する表示部とを備える
ことを特徴とする画像再生システム。
【請求項２】
前記決定部は、前記第１〜第ｎの画像データの中で最後に生成された画像データの再生時間を所定の時間に決定することを特徴とする請求項１に記載の画像再生システム。
【請求項３】
前記決定部は、前記時間間隔が第１の閾値未満である場合には前記再生時間を第１の時間に決定し、前記時間間隔が前記第１の閾値を超える場合には前記再生時間を前記第１の時間より長い時間に決定することを特徴とする請求項１または請求項２に記載の画像再生システム。
【請求項４】
前記決定部は、前記時間間隔が前記第１の閾値を超えかつ前記第１の閾値より長い第２の閾値未満である場合には前記再生時間を前記第１の時間より長い第２の時間に決定し、前記時間間隔が前記第２の閾値を超える場合には前記再生時間を前記第２の時間より長い時間に決定することを特徴とする請求項３に記載の画像再生システム。
【請求項５】
前記決定部は、予め定められた下限値から上限値の間で前記再生時間を決定することを特徴とする請求項１〜請求項４のいずれか１項に記載の画像再生システム。
【請求項６】
静止画に相当する第１〜第ｎの画像データを、前記第１〜第ｎの画像データの生成時間に相当する時間情報とともに格納するメモリと、
最後に生成された画像データを除く前記第１〜第ｎの画像データそれぞれの生成時間から次に生成された画像データの生成時間までの時間間隔を前記時間情報に基づいて算出し、算出された前記時間間隔に応じてそれぞれの画像データの再生時間を決定する決定部と、
前記第１〜第ｎの画像データに相当する前記静止画を、前記決定部により決定された再生時間で、前記第１〜第ｎの画像データの生成時間の順番に表示する表示部とを備える
ことを特徴とするカメラ。
【発明の詳細な説明】
【技術分野】
【０００１】
本発明は、メモリに記憶された複数の静止画を順番に表示する画像再生システムに関する。
【背景技術】
【０００２】
近年、メモリに記憶された複数の静止画を順次モニタに表示させるスライドショー機能、および音楽の再生機能を有するデジタルカメラが知られている。
【０００３】
さらに、スライドショー機能の実行により表示させる静止画の再生枚数やそれぞれの画像の再生時間などを調整することにより、スライドショー機能実行による全静止画の表示時間と音楽の再生時間とを一致させるデジタルカメラが提案されている（特許文献１参照）。
【０００４】
全静止画の表示時間と音楽の再生時間を一致させることにより、使用者は違和感無くスライドショーと音楽を楽しむことが出来る。全静止画の表示時間と音楽の再生時間を一致させるために、各静止画の表示時間は同じに調整されるか、あるいは手動で微調整される。
【０００５】
一方で、静止画を記録、すなわち撮影時には、様々な状況の中で使用者の感ずる的確なシャッターチャンスで撮影を行うものである。それゆえ、撮影者にとっては各静止画に対して撮影時の思い入れなどがある。このような複数の静止画を同じ再生時間で表示すると、このような思い入れなどを十分に表すことが出来なかった。
【特許文献１】特許第４１２７７５０号公報
【発明の開示】
【発明が解決しようとする課題】
【０００６】
したがって、本発明では、複数の静止画を表示するスライドショー機能の実行時に、静止画の撮影時などの画像データ生成時の臨場感などを感じさせるように、表示すべき複数の静止画を表示する画像再生システムの提供を目的とする。
【課題を解決するための手段】
【０００７】
本発明の画像再生システムは、静止画に相当する第１〜第ｎの画像データを第１〜第ｎの画像データの生成時間に相当する時間情報とともに受信する受信部と、最後に生成された画像データを除く前記第１〜第ｎの画像データそれぞれの生成時間から次に生成された画像データの生成時間までの時間間隔を時間情報に基づいて算出し算出された時間間隔に応じてそれぞれの画像データの再生時間を決定する決定部と、第１〜第ｎの画像データに相当する静止画を決定部により決定された再生時間で第１〜第ｎの画像データの生成時間の順番に表示する表示部とを備えることを特徴としている。
【０００８】
さらに、決定部は第１〜第ｎの画像データの中で最後に生成された画像データの再生時間を所定の時間に決定することが好ましい。
【０００９】
また、決定部は、時間間隔が第１の閾値未満である場合には再生時間を第１の時間に決定し、時間間隔が第１の閾値を超える場合には再生時間を第１の時間より長い時間に設定することが好ましい。
【００１０】
また、決定部は、時間間隔が第１の閾値を超えかつ第１の閾値より長い第２の閾値未満である場合には再生時間を第１の時間より長い第２の時間に決定し、時間間隔が第２の閾値を超える場合には再生時間を第２の時間より長い時間に決定することが好ましい。
【００１１】
また、決定部は予め定められた下限値から上限値の間で再生時間を決定することが好ましい。
【００１２】
本発明のカメラは、静止画に相当する第１〜第ｎの画像データを第１〜第ｎの画像データの生成時間に相当する時間情報とともに格納するメモリと、最後に生成された画像データを除く第１〜第ｎの画像データそれぞれの生成時間から次に生成された画像データの生成時間までの時間間隔を時間情報に基づいて算出し算出された時間間隔に応じてそれぞれの画像データの再生時間を決定する決定部と、第１〜第ｎの画像データに相当する静止画を決定部により決定された再生時間で第１〜第ｎの画像データの生成時間の順番に表示する表示部とを備えることを特徴としている。
【発明の効果】
【００１３】
本発明によれば、複数の画像を連続的に表示する場合に画像データの生成間隔に応じて表示時間を変えるので、画像データ生成時の臨場感を観察者に感じさせることが可能となる。
【発明を実施するための最良の形態】
【００１４】
以下、本発明の実施形態について図面を参照して説明する。
図１は、本発明の一実施形態を適用した画像再生システムを有するデジタルカメラの内部構成を概略的に示すブロック図である。
【００１５】
デジタルカメラ１０は、撮影光学系１１、撮像素子１２、ＡＦＥ１３、ＤＳＰ（Ｄｉｇｉｔａｌ  Ｓｉｇｎａｌ  Ｐｒｏｃｅｓｓｏｒ）１４、ＣＰＵ１５（受信部、決定部）、タイマ１６、モニタ１７（表示部）、画像メモリ１８、入力部１９などによって構成される。
【００１６】
撮影光学系１１は、撮像素子１２に光学的に接続される。撮影光学系１１は、フォーカスレンズ（図示せず）を含む複数のレンズによって構成される。フォーカスレンズを光軸に沿って変位させることにより被写体の光学像を撮像素子１２の受光面に結像させることが可能である。
【００１７】
撮影光学系１１を透過する被写体の光学像が撮像素子１２の受光面に到達する。撮像素子１２は、例えばＣＣＤである。撮像素子１２が光学像を受光すると、受光した光学像に相当する画像信号が生成される。
【００１８】
撮像素子１２は、ＡＦＥ１３を介してＤＳＰ１４に接続される。撮像素子１２が生成したいずれの画像信号もＡＦＥ１３によりデジタルデータである画像データに変換される。ＤＳＰ１４では、変換された画像データに対して所定のデータ処理が施される。ＤＳＰ１４は、ＣＰＵ１５に接続される。所定のデータ処理を施した画像データは、ＣＰＵ１５に送信される。
【００１９】
ＣＰＵ１５は、タイマ１６に接続される。タイマ１６により、現在時刻が計時される。計時した現在時刻は、連続的にタイマ１６からＣＰＵ１５に通知される。後述するように、ＣＰＵ１５では必要に応じて画像データに付帯情報を付加する付加処理が実行される。付加処理において、ＣＰＵ１５に通知された現在時刻は時刻情報として画像データに付加される。なお、付加処理において、ＣＰＵ１５により時刻情報以外にも様々な情報が画像データに付加される。
【００２０】
ＣＰＵ１５は、必要に応じて画像データをモニタ１７および／または画像メモリ１８に送信する。画像データがモニタ１７に送信されるときに、送信された画像データに相当する画像がモニタ１７に表示される。一方、画像データが画像メモリ１８に送信されるときに、送信された画像データが画像メモリ１８に格納される。
【００２１】
なお、画像データへの付加処理および画像データの送信だけでなく、デジタルカメラ１０の各部位の動作がＣＰＵ１５によって制御される。ＣＰＵ１５はレリーズボタン（図示せず）などによって構成される入力部１９に接続される。入力部１９には様々なコマンドを入力することが可能であり、入力されたコマンドに応じてＣＰＵ１５は各部位の動作を制御する。
【００２２】
次に、デジタルカメラ１０による被写体の撮影時および再生時における各部位の動作について詳細に説明する。
【００２３】
デジタルカメラ１０には、静止画撮影モード、動画撮影モード、および再生モードを含む様々な動作モードが設けられる。デジタルカメラ１０の動作モードが静止画撮影モードまたは動画撮影モードに切替えられている場合に、撮像素子１２は画像信号を生成するように駆動される。
【００２４】
静止画撮影モードの実行中にレリーズボタンの全押しが検知されるときに、撮像素子１２は静止画用駆動方法によって駆動され、１フレームの静止画像信号が生成される。動画撮影モードの実行中にレリーズボタンの全押しが検知されている間、撮像素子１２は第１の動画用駆動方法によって駆動され、所定の時間間隔、例えば１／３０秒毎に第１の動画像信号が生成される。
【００２５】
静止画撮影モードまたは動画撮影モードの実行中にレリーズボタンの全押しが検知されるまでの間、いわゆる撮影待機中に、撮像素子１２は第２の動画用駆動方法によって駆動され、所定の時間間隔、例えば１／３０秒毎に第２の動画像信号が生成される。
【００２６】
前述のように、生成された静止画像信号、第１、第２の動画像信号はＡＦＥ１３、ＤＳＰ１４を介して、静止画像データ、第１、第２の動画像データとしてＣＰＵ１５に送信される。
【００２７】
ＣＰＵ１５が第２の動画像データを受信するときには、前述の付加処理を施すことなく第２の動画像データをモニタ１７に送信する。ＣＰＵ１５は第２の動画像データの生成頻度と同じ頻度で第２の動画像データを受信し、さらに同じ頻度で受信した第２の動画像データをモニタ１７に送信する。モニタ１７に表示する画像を第２の動画像信号の生成頻度と同じ頻度で連続的に切替えることにより、モニタ１７にはリアルタイムの動画像が表示される。
【００２８】
ＣＰＵ１５が静止画像データまたは第１の動画像データを受信するときには、前述の付加処理が画像データに施される。撮像素子１２が静止画用駆動方法または第１の動画用駆動方法によって駆動されるときにＣＰＵ１５に通知される現在時刻が撮影時刻として認識される。認識した撮影時刻が画像データの付帯情報の一部である時刻情報として、静止画像データまたは第１の動画像データに付加される。
【００２９】
付加処理が施された静止画像データまたは第１の動画像データは画像メモリ１８に送信され、格納される。また、静止画像データはモニタ１７にも送信され、所定の時間、例えば１秒間、静止画像データに相当する静止画がモニタ１７に表示される。
【００３０】
所定の時間の静止画の表示後、または第１の動画像データの画像メモリ１８への格納後、撮像素子１２は再び第２の動画用駆動方法によって駆動され、モニタ１７にはリアルタイムの動画像が表示される。
【００３１】
なお、撮影待機中における入力部１９へのコマンド入力により、露出補正、ズーム調整、ピント調整などが可能である。また、デジタルカメラ１０には、撮影待機中において被写体の種類に応じて撮影条件を調整する機能が設けられる。
【００３２】
例えば、使用者が風景写真を撮影するのに適した撮影条件に調整する風景用調整機能を実行させると、フォーカスレンズが無限遠の被写体を結像させる位置に変位させられる。また、使用者が運動している人の写真を撮影するのに適した撮影条件に調整するスポーツ用調整機能を実行させると、シャッター速度を高速化したまま、絞り（図示せず）による露出補正が行われる。
【００３３】
なお、風景用調整機能やスポーツ用調製機能を実行させながら静止画が撮影された場合には、その旨を示す情報も付帯情報としてＣＰＵ１５により画像データに付加される。
【００３４】
デジタルカメラ１０では、再生モードにおいて画像メモリ１８に格納された画像データに相当する静止画または動画をモニタ１７に再生することが可能である。
【００３５】
デジタルカメラ１０の動作モードが再生モードに切替えられるときに、ＣＰＵ１５により再生モード実行のための各部位の制御が開始される。まず、撮像素子１２の駆動が停止される。さらに、ＣＰＵ１５により画像メモリ１８に格納された画像データの中から、単一のフレームの静止画像データまたは複数のフレームの第１の動画像データが読出され、モニタ１７に送信される。モニタ１７では、受信した画像データに相当する静止画または動画が表示される。
【００３６】
再生モードにおいて、スライドショー機能を実行することが可能である。スライドショー機能を実行すると、画像メモリ１８に格納されたすべての静止画像データおよび第２の動画像データに相当する静止画および動画が連続的に撮影時刻の順番で表示される。
【００３７】
スライドショー機能実行時における各静止画の表示時間は、入力部１９へのコマンド入力により選択可能である。例えば、各静止画の表示時間は、３、５、１０、２０、３０秒間または“ＲＡＮＤＯＭ”の中から選択可能である。なお、動画は、原則として動画を撮影した時間と同じ時間表示される。
【００３８】
静止画の表示時間として“ＲＡＮＤＯＭ”を選択すると、各静止画の表示時間がＣＰＵ１５により決められる。まず、ＣＰＵ１５において、静止画像データに付加される時刻情報に基づいて、単一の静止画像データの撮影時刻から次の画像データの撮影時刻までの時間間隔が算出される。算出された時間間隔に応じて当該静止画像データに相当する静止画の表示時間が決められる。
【００３９】
算出された時間間隔が３０秒未満である場合には、表示時間が２秒に決められる。また、算出された時間間隔が３０秒以上１分未満である場合には、表示時間が３秒に定められる。また、算出された時間間隔が１分以上２分未満である場合には、表示時間が４秒に定められる。また算出された時間間隔が２分以上である場合には、表示時間が５秒に定められる。なお、最後に撮影された静止画は、表示時間が５秒に定められる。
【００４０】
例えば、図２に示すように、第１、第２、第３、第４、第５、第６、第７、および第８の静止画像データに相当する第１、第２、第３、第４、第５、第６、第７、および第８の静止画の撮影時刻が１３時００分００秒、１３時００分１０秒、１３時０１分３０秒、１３時０２分２０秒、１３時４５分２３秒、１３時４６分０３秒、１３時４６分１８秒、１３時４６分２８秒であった仮定する。
【００４１】
この場合、図３に示すように、第１〜第８の静止画の表示時間が定められる。すなわち、第１の静止画に対する算出された時間間隔は１０秒なので、表示時間は２秒に定められる。第２の静止画に対する算出された時間間隔は１分２０秒なので、表示時間は４秒に定められる。第３の静止画に対する算出された時間間隔は５０秒なので、表示時間は３秒に定められる。第４の静止画に対する算出された時間間隔は４３分３秒なので、表示時間は５秒に定められる。第５の静止画に対する算出された時間間隔は４０秒なので、表示時間は３秒に定められる。第６の静止画に対する算出された時間間隔は１５秒なので、表示時間は２秒に定められる。第７の静止画に対する算出された時間間隔は１０秒なので、表示時間は２秒に定められる。第８の静止画は最後に撮影されているので、表示時間は５秒に定められる。
【００４２】
なお、風景用調整機能を実行させながら撮影した静止画の場合には、表示時間が４または５秒のいずれかに決められる。例えば、風景用調整機能を実行させながら撮影した静止画における時間間隔が１分未満である場合には、表示時間が４秒に定められる。一方で、風景用調整機能を実行させながら撮影した静止画における時間間隔が１分以上である場合には、表示時間が５秒に定められる。
【００４３】
また、スポーツ用調整機能を実行させながら撮影した静止画の場合には、表示時間が２または３秒のいずれかに決められる。例えば、スポーツ用調整機能を実行させながら撮影した静止画における時間間隔が１分未満である場合には、表示時間が２秒に定められる。一方でスポーツ用調整機能を実行させながら撮影した静止画における時間間隔が１分以上である場合には、表示時間が３秒に定められる。
【００４４】
また、デジタルカメラ１０には、顔認識機能が設けられる。顔認識機能を実行させながら静止画の表示時間として“ＲＡＮＤＯＭ”を選択すると、時間間隔に応じて決められた表示時間が微調整される。
【００４５】
静止画像データに相当する静止画に含まれる顔の数が多くなるほど、表示時間が長くなるように微調整される。例えば、検出された顔の数が１以下である場合には、表示時間の微調整が行われない。検出された顔の数が２以上で４以下である場合には決められた表示時間に１秒が加えられる。さらに、検出された顔の数が５以上である場合には、一旦決められた表示時間に関わらず、表示時間は５秒に決められる。
【００４６】
また、静止画像データに相当する静止画に含まれる顔の大きさが大きくなるほど、表示時間が短くなるように、微調整される。例えば、顔の像を構成する画素の数がｘを超える場合には、決められた表示時間から１秒が減じられる。
【００４７】
次に、ＣＰＵ１５によって行われるスライド表示制御を、図４および図５のフローチャートを用いて説明する。スライド表示制御は、再生モードにおいてスライドショー機能を実行するコマンドが入力されるときに開始する。
【００４８】
図４に示すように、ステップＳ１００において、表示時間の設定を確認する。すなわち、前述のように、各静止画の表示時間が３、５、１０、２０、３０秒間、および“ＲＡＮＤＯＭ”のいずれが選択されているかを確認する。表示時間の設定を確認すると、ステップＳ１０１に進む。
【００４９】
ステップＳ１０１において、モニタ１７に表示させる画像の番号である表示番号Ｎを１にリセットする。表示番号Ｎを１にリセットすると、ステップＳ１０２に進む。ステップＳ１０２では、画像メモリ１８に格納された画像データの中で撮影時刻の順番に並べて表示番号Ｎの画像データをモニタ１７に送信し、表示番号Ｎの画像データに相当する画像をモニタに表示させる。画像表示を開始すると、ステップＳ１０３に進む。
【００５０】
ステップＳ１０３では、ステップＳ１００において確認された表示時間の設定が“ＲＡＮＤＯＭ”であるか否かを判別する。“ＲＡＮＤＯＭ”以外の時間が設定されている場合には、ステップＳ１０４に進む。“ＲＡＮＤＯＭ”が設定されている場合には、ステップＳ１０５に進む。
【００５１】
ステップＳ１０４では、表示中の画像の表示時間をステップＳ１００で確認した時間に決定する。表示時間の決定後、ステップＳ１０８に進む。
【００５２】
ステップＳ１０５において、表示中の画像が画像メモリ１８に格納された画像データに相当する画像の中で最後に表示される画像であるか否かを判別する。すなわち、画像メモリ１８に格納された画像データの中で撮影時刻が最も新しいか否かを判別する。最後の画像である場合には、ステップＳ１０６に進む。最後の画像で無い場合には、ステップＳ１０７に進む。
【００５３】
ステップＳ１０６において、表示中の画像の表示時間を５秒に決定する。表示時間の決定後、ステップＳ１０８に進む。
【００５４】
ステップＳ１０７において、表示番号Ｎの画像データの撮影時刻と表示番号Ｎ＋１の画像データの撮影時刻との時間間隔を算出する。時間間隔を算出すると、ステップＳ２００に進む。
【００５５】
ステップＳ２００では、後述するように、ステップＳ１０７において算出した時間間隔に基づいて、表示中の画像の表示時間を決定する。表示時間を決定すると、ステップＳ１０８に進む。
【００５６】
ステップＳ１０８では、表示中の画像を表示開始してから、ステップＳ１０４、ステップＳ１０６、またはステップＳ２００において決定した表示時間が経過するまで待機する。表示時間を経過すると、ステップＳ１０９に進む。
【００５７】
ステップＳ１０９では、画像メモリ１８に格納されたすべての画像データに相当する画像の表示を終了したか否かを判別する。すべての画像を表示していない場合には、ステップＳ１１０に進む。すべての画像を表示した場合にはスライド表示制御を終了する。
【００５８】
ステップＳ１１０では、表示番号Ｎに１を加算する。表示番号Ｎへの１の加算後、ステップＳ１０２に戻る。以後、すべての画像を表示するまで、ステップＳ１０２〜ステップＳ１１０の処理を繰返す。前述のように、すべての画像を表示するとスライド表示制御を終了する。
【００５９】
次に、表示時間決定のサブルーチン（Ｓ２００）について説明する。図５に示すように、ステップＳ２０１において、スポーツ用調整機能を実行するように設定されているか否かを判別する。スポーツ用調整機能を実行するように設定されている場合には、ステップＳ２０２に進む。スポーツ用調整機能を実行するように設定されていない場合には、ステップＳ２０３に進む。
【００６０】
ステップＳ２０２では、ステップＳ１０７において算出した時間間隔が１分未満であるか否かを判別する。時間間隔が１分未満である場合には、ステップＳ２０８に進む。時間間隔が１分以上である場合には、ステップＳ２０９に進む。
【００６１】
ステップＳ２０３において、風景用調整機能を実行するように設定されているか否かを判別する。風景用調整機能を実行するように設定されている場合には、ステップＳ２０４に進む。風景用調整機能を実行するように設定されていない場合には、ステップＳ２０５に進む。
【００６２】
ステップＳ２０４では、ステップＳ１０７において算出した時間間隔が１分未満であるか否かを判別する。時間間隔が１分未満である場合には、ステップＳ２１０に進む。時間間隔が１分以上である場合には、ステップＳ２１１に進む。
【００６３】
ステップＳ２０５では、ステップＳ１０７において算出した時間間隔が３０秒未満であるか否かを判別する。時間間隔が３０秒未満である場合には、ステップＳ２０８に進む。時間間隔が３０秒以上である場合には、ステップＳ２０６に進む。
【００６４】
ステップＳ２０６では、ステップＳ１０７において算出した時間間隔が１分未満であるか否かを判別する。時間間隔が１分未満である場合には、ステップＳ２０９に進む。時間間隔が１分以上である場合には、ステップＳ２０６に進む。
【００６５】
ステップＳ２０７では、ステップＳ１０７において算出した時間間隔が２分未満であるか否かを判別する。時間間隔が２分未満である場合には、ステップＳ２１０に進む。時間間隔が２分以上である場合には、ステップＳ２１１に進む。
【００６６】
前述のように、ステップＳ２０２において時間間隔が１分未満である場合、またはステップＳ２０５において時間間隔が３０秒未満である場合に、ステップＳ２０８に進む。ステップＳ２０８において、表示中の画像の表示時間を２秒に決定する。表示時間の決定後、ステップＳ２１２に進む。
【００６７】
前述のように、ステップＳ２０２において時間間隔が１分以上である場合、またはステップＳ２０６において時間間隔が１分未満である場合に、ステップＳ２０９に進む。ステップＳ２０９において、表示中の画像の表示時間を３秒に決定する。表示時間の決定後、ステップＳ２１２に進む。
【００６８】
前述のように、ステップＳ２０４において時間間隔が１分未満である場合、またはステップＳ２０７において時間間隔が２分未満である場合に、ステップＳ２１０に進む。ステップＳ２１０において、表示中の画像の表示時間を４秒に決定する。表示時間の決定後、ステップＳ２１２に進む。
【００６９】
前述のように、ステップＳ２０４において時間間隔が１分以上である場合、またはステップＳ２０７において時間間隔が２分以上である場合に、ステップＳ２１１に進む。ステップＳ２１１において、表示中の画像の表示時間を５秒に決定する。表示時間の決定後、ステップＳ２１２に進む。
【００７０】
ステップＳ２１２において、表示中の画像における顔の画像を検出する。顔を検出すると、ステップＳ２１３に進む。ステップＳ２１３において、検出した顔の画像に基づいて、決定した表示時間を微調整する。前述のように、検出した顔の数が増えるほど表示時間を長くし、顔の画像が大きくなるほど表示時間を短くする。表示時間の微調整の終了後、表示時間決定のサブルーチン（Ｓ２００）を終了し、ステップＳ１０８に戻る。
【００７１】
以上のような構成である本実施形態の画像再生システムによれば、静止画の撮影後の次の静止画を撮影するまでの時間間隔に応じた表示時間で、複数の静止画を連続的に表示することが可能である。このように撮影時間間隔に応じた表示時間で、静止画を表示することにより、観察者に対して撮影時の臨場感を回想または連想させることが可能である。
【００７２】
また、本実施形態では、スポーツ用調整機能を実行して撮影した静止画に対しては、通常は２〜５秒の範囲の中で決定される表示時間が２または３秒のいずれかに決定される。スポーツ用調整機能を実行して撮影した静止画の表示時間は通常の静止画の表示時間より選択可能な時間が短い範囲の中で選択される。したがって、スポーツ用調整機能を実行して撮影した静止画は通常の静止画に比べて速くに表示が切替えられるので、撮影される競技の臨場感を観察者に回想または連想させることが可能である。
【００７３】
また、本実施形態では、風景用調整機能を実行して撮影した静止画に対しては、通常は２〜５秒の範囲の中で決定される表示時間が４または５秒のいずれかに決定される。風景用調整機能を実行して撮影した静止画の表示時間は通常の静止画の表示時間より選択可能な時間が長い範囲の中で選択される。したがって、風景用調整機能を実行して撮影した静止画は通常の静止画に比べて遅くに表示が切替えられるので、撮影される風景の雄大さを観察者に回想または連想させることが可能である。
【００７４】
また、本実施形態では、表示する画像の中に含まれる顔の画像を検出し、表示される顔の数に応じて表示時間が長くなるように微調整される。それゆえ、表示される顔の数が多くなるほど表示時間が長くなるので、観察者は表示される個々の顔を十分に視認可能となる。また、表示される顔が大きくなるほど、表示時間が短くなるように微調整される。表示される顔が大きいほど観察者は容易に顔を視認することが可能なので、表示時間の短縮化が図られる。
【００７５】
なお、本実施形態において、表示時間の設定を“ＲＡＮＤＯＭ”を選択すると、２，３、４、および５秒間のいずれかから選択される構成であるが、少なくとも２段階の中から選択されればよい。または、４段階の中から選択されるのでなく、より多くの所定の間隔の中から選択されてもよい。
【００７６】
または、算出される時間間隔に比例させた時間を表示時間として決定する構成であってもよい。さらに、時間間隔に比例させる構成であっても、表示時間には下限値と上限値とを定めておき、その範囲内で時間間隔に比例させる構成であってもよい。
【００７７】
また、本実施形態において、最後に表示する静止画の表示時間は５秒、すなわち設定可能な最長の表示時間に決定される構成であるが、最長の時間に決定しなくてもよく、所定の時間に決定してもよい。ただし、本実施形態のように、最後の静止画に対しては表示時間を長くすることにより、観察者に余韻を感じさせることが可能である。
【００７８】
また、本実施形態において、スライドショー機能の実行時に画像メモリ１８に格納されたすべての静止画像データおよび第２の動画像データに相当する静止画および動画が連続的に表示される構成であるが、スライドショー機能により表示させる静止画および動画を選択可能な構成であってもよい。
【００７９】
また、本実施形態において、スライドショー機能の実行による動画表示の場合には表示時間は調整されない構成であるが、動画像に対しても表示時間を調整してもよい。
【００８０】
また、本実施形態において、スポーツ用調整機能を実行しながら撮影した静止画に対しては表示時間が短くなるように調整され、風景用調整機能を実行しながら撮影した静止画に対しては表示時間が長くなるように調整される構成である。スポーツ用調整機能や風景用調整機能に限らず、撮影する被写体に適した撮影条件となるようにズーム、ピントなどを自動的に調整する機能を実行する場合には、それに適した表示時間となるように調整することが好ましい。ただし、これらの調整機能に対して表示時間を調整しなくても、撮影間隔に応じた臨場感を回想または連想させることは十分に可能である。
【００８１】
また、本実施形態において、表示される画像に含まれる顔の画像を認識し、顔の画像に応じて表示時間を微調整する構成であるが、微調整をしない構成であってもよい。認識した顔の画像に応じた微調整を行わなくても、撮影間隔に応じた臨場感を回想または連想させることは十分に可能である。
【００８２】
また、本実施形態において、画像再現システムはカメラに設けられる構成であるが、画像データの再現、すなわち画像データに相当する画像を表示する他の機器に設けられてもよい。
【図面の簡単な説明】
【００８３】
【図１】本発明の一実施形態を適用した画像再生システムを有するデジタルカメラの内部構成を概略的に示すブロック図である。
【図２】第１〜第８の静止画の撮影時刻を示すタイミングチャートである。
【図３】第１〜第８の静止画の表示時間を示すタイミングチャートである。
【図４】ＣＰＵによって行なわれるスライド表示制御を説明するためのフローチャートである。
【図５】表示時間決定のサブルーチンを説明するためのフローチャートである。
【符号の説明】
【００８４】
１０  デジタルカメラ
１２  撮像素子
１５  ＣＰＵ
１６  タイマ
１７  モニタ
１８  画像メモリ
【図１】
2010148049.tif 000003
【図２】
2010148049.tif 000004
【図３】
2010148049.tif 000005
【図４】
2010148049.tif 000006
【図５】
2010148049.tif 000007